(57)【要約】【課題】  電子的なポスターなどの情報表示装置側において、設置者の意図とは異なる情報が表示されることを防止できる情報表示装置を提供する。【解決手段】  ユーザ側の端末装置から参照情報の登録要求を受け入れ、この受け入れた登録要求に係る参照情報が、所定の登録条件を満足する場合に、当該参照情報を登録して保持する。また、ユーザによって登録された参照情報によって特定される情報をネットワークを介して取得して表示する情報表示装置である。【選択図】        図１
2007034853.tif 000002
【特許請求の範囲】
【請求項１】
ユーザによって登録された参照情報を保持する保持手段と、
ユーザ側の端末装置から参照情報の登録要求を受け入れる手段と、
前記受け入れた登録要求に係る参照情報が、所定の登録条件を満足する場合に、当該参照情報を、前記保持手段に保持させて登録する手段と、
当該登録された参照情報によって特定される情報をネットワークを介して取得して表示する表示手段と、
を含み、
前記所定の登録条件には、
前記参照情報が、情報表示装置が属しているネットワークドメイン内の情報を参照していることと、
前記参照情報が、ユーザ側の端末装置が属しているネットワークドメイン内の情報を参照していることと、
前記参照情報が、情報表示装置からアクセス可能なデータベースにおいて、予め登録可能として保持されていることと、
の少なくとも一つの条件が含まれることを特徴とする情報表示装置。
【請求項２】
請求項１に記載の情報表示装置において、
前記表示手段は、情報を表示するごとに、当該情報を特定する情報に関連づけた、表示回数の情報を更新することを特徴とする情報表示装置。
【請求項３】
請求項１または２に記載の情報表示装置において、
参照情報ごとに、表示許可条件を関連づけて保持するデータベースにアクセスする手段をさらに備え、
前記表示手段は、表示する参照情報に係る表示許可条件を満足するか否かを調べ、満足する場合に当該参照情報によって特定される情報をネットワークを介して取得して表示することを特徴とする情報表示装置。
【請求項４】
請求項１ないし３のいずれか一項に記載の情報表示装置において、情報表示装置からアクセス可能なデータベースにおける表示許可条件の設定を、参照情報の提供者から受け入れる手段を更に設けることを特徴とする情報表示装置。
【請求項５】
ユーザによって登録された参照情報を保持する保持手段と、
ユーザ側の端末装置から参照情報の登録要求を受け入れる手段と、を備えた情報表示装置の制御方法であって、
前記受け入れた登録要求に係る参照情報が、所定の登録条件を満足する場合に、当該参照情報を、前記保持手段に保持させて登録する工程と、
当該登録された参照情報によって特定される情報をネットワークを介して取得して表示する表示工程と、を実行させ、
前記所定の登録条件には、
前記参照情報が、情報表示装置が属しているネットワークドメイン内の情報を参照していることと、
前記参照情報が、ユーザ側の端末装置が属しているネットワークドメイン内の情報を参照していることと、
前記参照情報が、情報表示装置からアクセス可能なデータベースにおいて、予め登録可能として保持されていることと、
の少なくとも一つの条件が含まれることを特徴とする情報表示装置の制御方法。
【請求項６】
ユーザによって登録された参照情報を保持する保持手段と、
ユーザ側の端末装置から参照情報の登録要求を受け入れる手段と、を備えた情報表示装置に、
前記受け入れた登録要求に係る参照情報が、所定の登録条件を満足する場合に、当該参照情報を、前記保持手段に保持させて登録する手順と、
当該登録された参照情報によって特定される情報をネットワークを介して取得して表示する手順と、を実行させ、
前記所定の登録条件には、
前記参照情報が、情報表示装置が属しているネットワークドメイン内の情報を参照していることと、
前記参照情報が、ユーザ側の端末装置が属しているネットワークドメイン内の情報を参照していることと、
前記参照情報が、情報表示装置からアクセス可能なデータベースにおいて、予め登録可能として保持されていることと、
の少なくとも一つの条件が含まれることを特徴とするプログラム。
【発明の詳細な説明】
【技術分野】
【０００１】
本発明は、ユーザから指定された情報を表示する情報表示装置に関する。
【背景技術】
【０００２】
大型の液晶ディスプレイや、プラズマディスプレイ等が安価になり、コンピュータに動画像を再生させたり、複数の静止画像を順次表示するなどして、表示内容を可変とした電子的なポスターが実用化されている。
【０００３】
また、こうした電子的なポスターに接続されたコンピュータに、ユーザから参照情報（例えばＵＲＬ）を取得させて、さらに当該取得させたＵＲＬによって特定される情報（ウェブページなど）を、ネットワークを介して取得させ、表示出力させるようなものも実用化されている。
【発明の開示】
【発明が解決しようとする課題】
【０００４】
しかしながら、上記従来の電子的なポスターでは、ユーザから取得した参照情報によって参照されるウェブページ等が、表示に適したものであるか否かについて判断が行われていない。例えば、他人の著作物が掲示されているウェブページを、街頭に設置された電子的ポスターに表示させることが、著作権の侵害とならないか否かは必ずしも明らかでない。また、公衆に対する提示が不適切であるウェブページも存在する。こうした情報が表示されることは、電子的なポスターの設置者の意図に合致しないものである。
【０００５】
本発明は上記実情に鑑みて為されたもので、電子的なポスターなどの情報表示装置側において、設置者の意図とは異なる情報が表示されることを防止できる情報表示装置を提供することをその目的の一つとする。
【課題を解決するための手段】
【０００６】
上記従来例の問題点を解決するための本発明は、情報表示装置であって、ユーザによって登録された参照情報を保持する保持手段と、ユーザ側の端末装置から参照情報の登録要求を受け入れる手段と、前記受け入れた登録要求に係る参照情報が、所定の登録条件を満足する場合に、当該参照情報を、前記保持手段に保持させて登録する手段と、当該登録された参照情報によって特定される情報をネットワークを介して取得して表示する表示手段と、を含み、前記所定の登録条件には、前記参照情報が、情報表示装置が属しているネットワークドメイン内の情報を参照していることと、前記参照情報が、ユーザ側の端末装置が属しているネットワークドメイン内の情報を参照していることと、前記参照情報が、情報表示装置からアクセス可能なデータベースにおいて、予め登録可能として保持されていることと、の少なくとも一つの条件が含まれることを特徴としている。
【０００７】
ここで前記表示手段は、情報を表示するごとに、当該情報を特定する情報に関連づけた、表示回数の情報を更新することとしてもよい。
【０００８】
また、参照情報ごとに、表示許可条件を関連づけて保持するデータベースにアクセスする手段をさらに備え、前記表示手段は、表示する参照情報に係る表示許可条件を満足するか否かを調べ、満足する場合に当該参照情報によって特定される情報をネットワークを介して取得して表示することとしてもよい。
【０００９】
また、本発明の一態様に係る情報表示装置は、情報表示装置からアクセス可能なデータベースにおける表示許可条件の設定を、参照情報の提供者から受け入れる手段を更に設けることを特徴としている。
【００１０】
また、本発明の一態様に係る情報表示装置の制御方法は、ユーザによって登録された参照情報を保持する保持手段と、ユーザ側の端末装置から参照情報の登録要求を受け入れる手段と、を備えた情報表示装置の制御方法であって、前記受け入れた登録要求に係る参照情報が、所定の登録条件を満足する場合に、当該参照情報を、前記保持手段に保持させて登録する工程と、当該登録された参照情報によって特定される情報をネットワークを介して取得して表示する表示工程と、を実行させ、前記所定の登録条件には、前記参照情報が、情報表示装置が属しているネットワークドメイン内の情報を参照していることと、前記参照情報が、ユーザ側の端末装置が属しているネットワークドメイン内の情報を参照していることと、前記参照情報が、情報表示装置からアクセス可能なデータベースにおいて、予め登録可能として保持されていることと、の少なくとも一つの条件が含まれることを特徴としている。
【００１１】
さらに、本発明の別の態様に係るプログラムは、ユーザによって登録された参照情報を保持する保持手段と、ユーザ側の端末装置から参照情報の登録要求を受け入れる手段と、を備えた情報表示装置に、前記受け入れた登録要求に係る参照情報が、所定の登録条件を満足する場合に、当該参照情報を、前記保持手段に保持させて登録する手順と、当該登録された参照情報によって特定される情報をネットワークを介して取得して表示する手順と、を実行させ、前記所定の登録条件には、前記参照情報が、情報表示装置が属しているネットワークドメイン内の情報を参照していることと、前記参照情報が、ユーザ側の端末装置が属しているネットワークドメイン内の情報を参照していることと、前記参照情報が、情報表示装置からアクセス可能なデータベースにおいて、予め登録可能として保持されていることと、の少なくとも一つの条件が含まれることを特徴としている。
【発明を実施するための最良の形態】
【００１２】
本発明の実施の形態について図面を参照しながら説明する。本発明の実施の形態に係る情報表示装置１を含む情報表示システムは、図１に示すように、情報表示装置１と、メールサーバ２と、表示可否判定データベース３と、ウェブサーバ４とを含んで構成され、相互にネットワークを介して属している。なお、このネットワークには、他にも種々のコンピュータ装置等が属しているのが全体の構成であるが、ここでは説明を簡単にするため、図示を省略している。
【００１３】
また、情報表示装置１は、図２に示すように、制御部１１と、記憶部１２と、通信部１３と、表示部１４と、ストレージ部１５とを含んで構成されている。
【００１４】
情報表示装置１の制御部１１は、ＣＰＵ等であり、記憶部１２に格納されているプログラムに従って動作する。この制御部１１は、ユーザの端末装置から電子メールとして送信された参照情報を受け入れる。また、当該受け入れた参照情報が所定の登録条件を満足しているか否かを調べる処理を実行する。また、この制御部１１は、登録した参照情報に基づいて表示の対象となる情報を取得し、当該取得した情報を表示する処理を行う。これらの制御部１１の処理の具体的な内容例については、後に詳しく述べる。
【００１５】
記憶部１２は、ＲＡＭやＲＯＭ等の記憶素子などを含んで構成される。この記憶部１２は、制御部１１によって処理されるプログラムが保持される。また、この記憶部１２は、制御部１１のワークメモリとしても動作する。
【００１６】
通信部１３は、ネットワークカード等であり、制御部１１から入力される指示に従い、指示された宛先に対してネットワークを介してデータを送信する。また、この通信部１３は、ネットワークを介して到来するデータを受信して制御部１１に出力する。
【００１７】
表示部１４は、液晶ディスプレイや、プラズマディスプレイ等であり、制御部１１から指示される情報を表示する処理を行っている。ストレージ部１５は、ハードディスク等であり、制御部１１から入力される指示に従って情報を保持し、また、保持している情報を読み出して制御部１１に出力する。
【００１８】
メールサーバ２は、例えばＰＯＰ（Post Office Protocol）サーバであり、情報表示装置１宛に送信された電子メールを受信して保持する。このメールサーバ２は、情報表示装置１から受信される指示に従って、保持している情報表示装置１宛の電子メールを、情報表示装置１へと送信する。
【００１９】
表示可否判定データベース３は、少なくとも一つの参照情報を、登録条件を満足する参照情報リストとして保持し、情報表示装置１からの要求に応じて、情報表示装置１から受信される参照情報が保持している参照情報リストに含まれているか否かを判断し、当該判断の結果を要求元の情報表示装置１に送信する。
【００２０】
ここで情報表示装置１の制御部１１の動作について説明する。まず、参照情報の登録を受け付ける処理について説明する。本実施の形態の情報表示装置１は、電子メールにて参照情報の登録を受け付ける。つまり、参照情報の登録を行うユーザは、ユーザ側の端末から参照情報を記述した電子メールを情報表示装置１宛に送信する。この電子メールには、ユーザの電子メールアドレスが発信元を特定する情報として含まれる。
【００２１】
この情報表示装置１宛の電子メールは、メールサーバ２によって受信されて保持される。情報表示装置１は、所定のタイミングごと（例えば定期的）に、メールサーバ２へアクセスして、情報表示装置１宛の電子メールが保持されていれば、当該保持されている電子メールを取得し、図３に示す処理を開始する。
【００２２】
すなわち、まず、取得した電子メールに記述されている参照情報を取り出す（Ｓ１）。この参照情報は、例えばユーザが登録を希望するＵＲＬである。そして当該取り出した参照情報が所定の登録条件を満足するか否かを調べる。本実施の形態では、
（１）参照情報が、情報表示装置１が属しているネットワークドメイン内の情報を参照していることと、
（２）参照情報が、ユーザ側の端末装置が属しているネットワークドメイン内の情報を参照していることと、
（３）参照情報が、情報表示装置１からアクセス可能な表示可否判定データベースにおいて、予め登録可能として保持されていることと、
の少なくとも一つを満足することが登録条件となるとする。
【００２３】
この場合、制御部１１は、取り出した参照情報のドメインと、情報表示装置１が属しているネットワークドメインを特定する情報とを比較する（Ｓ２）。例えば、情報表示装置１は、記憶部１２に、属しているネットワークドメインを特定する情報を格納しておき、当該情報が、処理Ｓ１において取り出した参照情報に後方一致するか否かを調べることによって比較を行う。
【００２４】
ここで、比較の結果が肯定的である（つまり、上記比較で後方一致する）場合は、登録条件を満足するとして、登録処理を実行する（Ｓ３）。
【００２５】
この条件により、例えば、ユーザが複数の情報表示装置１に対して一斉に、参照情報の登録要求の電子メールを送信したときに、当該参照情報が、当該複数の情報表示装置１の一部が属するドメイン内の情報を参照しているとすると、当該一部の情報表示装置１では、当該参照情報が登録されて、当該登録された参照情報によって参照されている情報が表示されるが、他の情報表示装置１（登録要求に係る参照情報が、同じドメインに属している情報を指していない情報表示装置１）については、当該参照情報は登録されないこととなって、当該情報の表示は行われないようになる。これにより、ユーザが、意図せず他組織（他ドメイン）の情報を他人に無断で取得させてしまうことがなくなる。
【００２６】
一方、比較の結果が否定的である場合は、次に、電子メールの発信元であるユーザの電子メールアドレスを取得し（Ｓ４）、当該電子メールアドレスによって特定されるメールサーバが属しているネットワークドメイン（つまり、ユーザ側の端末装置が属しているネットワークドメインと考えられる）と、処理Ｓ１で取得した参照情報のドメインとが一致しているか否かを調べる（Ｓ５）。ここでユーザ側の端末装置が属しているネットワークドメイン（ユーザ側ドメイン）は、ネットワーク上のドメイン・ネーム・サービス（ＤＮＳ）サーバのレコードを参照して取得することができる。そして当該ユーザ側ドメインの情報が、処理Ｓ１で取得した参照情報に後方一致するか否かを調べる。
【００２７】
ここで、比較の結果が肯定的である（つまり、上記比較で後方一致する）場合は、登録条件を満足するとして、登録処理を実行する（Ｓ６）。
【００２８】
一方、比較の結果が否定的である場合は、表示可否判定データベース３に対して、処理Ｓ１にて取り出した参照情報を送信して、当該参照情報が登録条件を満足する参照情報リストに含まれているか否かを判断するよう要求する（Ｓ７）。
【００２９】
そして制御部１１は、この判断の結果を表示可否判定データベース３から受信して、当該判断の結果が肯定的である（つまり、送信した参照情報が登録条件を満足すると判断された）か否かを調べ（Ｓ８）、肯定的である場合は、登録処理を実行する（Ｓ９）。
【００３０】
一方、比較の結果が否定的である場合は、電子メールの発信元であるユーザの電子メールアドレスに対して、登録できない旨のメッセージを含む電子メールを送信するなど、所定のエラー処理を行って（Ｓ１０）、処理を終了する。
【００３１】
なお、ここまでの説明において、処理Ｓ３，Ｓ６，Ｓ９における登録処理は、次のようにして行われる。すなわち、制御部１１は、ストレージ部１５内に、登録した参照情報を保持する登録データベースを設定し、この登録データベースに、処理Ｓ３，Ｓ６，Ｓ９において登録の対象となった参照情報を保持させる。
【００３２】
制御部１１は、また、登録した参照情報によって参照されているウェブページ等の情報を取得して、表示する処理を実行しているので、以下、この処理について説明する。
【００３３】
すなわち制御部１１は、ストレージ部１５に保持されている登録データベースを参照して、例えば登録の順に、参照情報を読み出す。そして、当該読み出した参照情報に従って、ネットワークを介して、当該参照情報によって参照される情報を提供しているウェブサーバ４等からウェブページ等の情報を取得する。制御部１１は、当該取得した情報を表示可能な情報に変換する。例えばここで取得した情報がウェブページの情報であればＨＴＭＬ（Hyper Text Markup Language）等によって記述されているので、当該ＨＴＭＬで記述されたページをレンダリングして、ビットマップのデータを生成し、表示部１４に出力して表示させる。
【００３４】
制御部１１は、例えば一定の時刻が経過するごとに、登録データベースに登録されている複数の参照情報を登録の順に順次読み出して、当該読み出した参照情報によって参照される情報を提供しているウェブサーバ４等からウェブページ等の情報を取得し、表示出力する処理を行う。
【００３５】
なお、この際、登録データベースに登録されている各参照情報によって取得されるべきウェブページの縮小画像（いわゆるサムネイル画像）を生成して、表示しているウェブページに併せて、当該サムネイル画像の一覧を表示してもよい（図４）。
【００３６】
このように本実施の形態によると、例えば著作権の許諾を受けている著作者のウェブページや、事前の調査により表示してもよいとされるウェブページのＵＲＬを予め表示可否判定データベース３に登録しておくことで、電子的なポスターなどの情報表示装置側において、著作権の侵害の有無が明らかでないウェブページなど、設置者の意図とは異なる情報が表示されることを防止できる。
【００３７】
また、この表示可否判定データベース３に登録する情報は、登録条件を満足する参照情報そのものでなく、例えば、いわゆる正規表現（Regular Expression）など、任意の文字列に一致する表現を含んで、参照情報の一部一致によって登録可能との条件を示してもよい。具体的な例として、ＵＲＬ
aaa.bbb.ccc.ddd
によって特定されるホストが提供するウェブページのすべてが登録可能である場合、当該ホストによって提供される各ウェブページを個々に登録することなく、
aaa.bbb.ccc.ddd/*
のように記述する。つまり表示可否判定データベース３が、「*」（アスタリスク）を、任意の１文字以上の文字列に合致する正規表現として扱う。この取り扱いにより、上記ホストが提供するウェブページのＵＲＬ（つまり、http://aaa.bbb.ccc.ddd/で始まるすべてのＵＲＬ）が登録可能な参照情報として、表示可否判定データベース３によって判断されることになる。
【００３８】
さらに、ここでは登録可能な参照情報を列挙して表示可否判定データベース３に登録するものとしたが、登録不可能な参照情報を列挙して、表示可否判定データベース３に登録してもよい。この場合、情報表示装置１の制御部１１は、図３に示した処理Ｓ１にて取り出した参照情報が、表示可否判定データベース３に格納されている参照情報リストに含まれていない場合に、登録処理を実行することとなる。
【００３９】
また、本実施の形態においては、表示可否判定データベース３に登録する参照情報には、ユーザを特定する情報（例えばユーザの電子メールアドレス等）を関連づけておき、ユーザごとに登録可能な参照情報を異ならせてもよい。
【００４０】
例えば、この場合は、表示可否判定データベース３に登録される参照情報リストは、図５に示すように、ユーザの電子メールアドレスと、登録可能な参照情報のリストとを関連づけたものとなる。そして表示可否判定データベース３は、情報表示装置１側から、判断の対象となる参照情報とともに、当該参照情報の発信元であるユーザの電子メールアドレスの情報を受信し、当該受信した電子メールアドレスに関連づけられている参照情報リストに、当該取得した参照情報が含まれているか否かを判断することになる。すなわちこの場合、情報表示装置１の制御部１１は、表示可否判定データベース３に対して、判断の対象となる参照情報とともに、当該参照情報の発信元となったユーザの（図３の処理Ｓ４にて取り出した）電子メールアドレスを併せて送信する。
【００４１】
なお、この場合も、すべてのユーザに対して登録可能な参照情報のリストを規定してもよい。この場合の判断は例えば、ユーザの電子メールアドレスの欄に正規表現を用いた記述をしておき、受信した電子メールアドレスに合致する、正規表現を用いた記述に対応づけられた参照情報のリストに、取得した参照情報が含まれているか否かを判断するなどの方法で行うことができる。
【００４２】
また、ユーザの電子メールアドレスとは関わりのない、参照情報リストを別途保持させておく方法によっても、すべてのユーザに対して登録可能な参照情報のリストを規定することができる。
【００４３】
同様に、表示可否判定データベース３に登録される参照情報リストには、図６に示すように、ドメイン名の情報が、表示許可先の情報として関連づけられてもよい。この場合、表示可否判定データベース３は、参照情報に係る判断の要求元となっている情報表示装置１の所属ドメインの情報を取得して、取得した参照情報に対して、当該取得した所属ドメインの情報が、表示許可先として登録されている場合に限り、登録可能であるとの判断結果を、情報表示装置１に対して送信する。
【００４４】
なお、この場合も、すべてのドメインに対して登録可能な参照情報を規定してもよい。具体例としては、表示許可先の情報として「無制限」などの情報を関連づけておき、表示可否判定データベース３は、判断の対象となった参照情報に、この「無制限」等の情報が関連づけられている場合は、要求元となっている情報表示装置１の所属ドメインに関わらず、登録可能であるとの判断結果を、要求元の情報表示装置１に対して送信する。
【００４５】
さらに、表示可否判定データベース３には、図７に示すように、各参照情報に対して、表示の許可条件に関する情報と、表示を行っている各情報表示装置１での表示の状態を表す情報とが関連づけられて格納されてもよい。ここで例えば表示の許可条件としては、例えば表示回数の条件などがある。また、ここで各情報表示装置１での表示の状態を表す情報とは、図７（Ｘ）に示すように、情報表示装置１の属するドメイン名と、表示回数とを関連づけたものである。
【００４６】
情報表示装置１では、ウェブサーバ４等から、参照情報に対応する情報を取得するごとに、表示可否判定データベース３に対して、当該参照情報とともに、情報を表示した旨の表示回数更新情報を送信し、表示可否判定データベースにおける表示回数の情報を更新させる。
【００４７】
表示可否判定データベース３では、この表示回数更新情報と、参照情報とを受信して、参照情報に関連づけられている、表示の状態を表す情報を取得する。そして、当該表示の状態を表す情報に、当該表示回数更新情報の送信元となった情報表示装置１の所属ドメインに関連づけられた表示回数の情報があるか否かを調べる。ここで、当該情報があれば、表示回数の情報を「１」だけインクリメントする。このとき、表示可否判定データベース３は、受信した参照情報に関連づけられている表示の許可条件を参照し、インクリメント後の値が、当該許可条件に定められた値を超えているか否かを調べ、超えている場合に、表示回数更新情報の送信元である情報表示装置１に対して、参照情報とともに、許可条件を超えた旨の情報を送信してもよい。
【００４８】
この場合、当該許可条件を超えた旨の情報と参照情報とを受信した情報表示装置１側では、当該参照情報をストレージ部１５の登録データベースから削除する処理を行ってもよい。
【００４９】
表示する参照情報に係る表示許可条件が満足される場合に、当該参照情報によって特定される情報を取得して表示し、表示許可の条件が満足されない場合には、表示を行わないように、情報表示装置１が制御される。
【００５０】
ここで情報の提供者にも、自分の提供している情報に限って、ドメインの表示可否判定データベース３に対して、参照情報とその表示許可条件とを登録することを可能としてもよい。自分の提供している情報かどうかの判定には、例えば、情報の提供者から送られてきたメールのドメインと、参照情報の指し示すドメインとを比較し、情報の提供者そのもののドメインあるいは情報の提供者がメールの送信に利用したメールサーバのドメインが参照情報の指し示すドメインと一致しているかどうかを確認し、一致していたら参照情報とその表示許可条件とを登録するものとする。
【００５１】
［表示可否判定データベースの別の処理の例］
ここまでの説明における表示可否判定データベース３は、例えばユーザから、参照情報リストに含めるべき参照情報（またはそれに係る正規表現）とともに、表示許可先となる情報表示装置１のドメイン名や、表示許可条件などを記述した電子メールを受信して、当該電子メールに記述されている情報に基づいて参照情報リストを生成して保持してもよい。また、このとき、当該参照情報リストに、図７に示したように、各情報表示装置１での表示の状態を表す情報を関連づけるなどの場合は、当該電子メールによって登録した参照情報について、送信元のユーザの電子メールアドレスを関連づけて保持してもよい。
【００５２】
そして当該ユーザから後に、表示の状態を表す情報を提供するべき旨の電子メールを受信したときに、表示可否判定データベース３は、当該表示の状態を表す情報を提供するべき旨の電子メールの送信元のユーザの電子メールアドレスに関連づけられている、各情報表示装置１での表示の状態を表す情報を取得して、その内容を返信してもよい。これによりユーザは、表示の許可の対象として登録したウェブページの閲覧状況を簡便に知ることができる。
【図面の簡単な説明】
【００５３】
【図１】本発明の実施の形態に係る情報表示装置を含むシステムの例を表す構成ブロック図である。
【図２】本発明の実施の形態に係る情報表示装置の構成例を表すブロック図である。
【図３】本発明の実施の形態に係る情報表示装置の動作例を表すフローチャート図である。
【図４】本発明の実施の形態に係る情報表示装置での情報表示例を表す説明図である。
【図５】本発明の実施の形態に係る情報表示装置からアクセスされる、表示可否判定データベースが保持するデータベースの例を表す説明図である。
【図６】本発明の実施の形態に係る情報表示装置からアクセスされる、表示可否判定データベースが保持するデータベースのもう一つの例を表す説明図である。
【図７】本発明の実施の形態に係る情報表示装置からアクセスされる、表示可否判定データベースが保持するデータベースのまた別の例を表す説明図である。
【符号の説明】
【００５４】
１  情報表示装置、２  メールサーバ、３  表示可否判定データベース、４  ウェブサーバ、１１  制御部、１２  記憶部、１３  通信部、１４  表示部、１５  ストレージ部。
【図１】
2007034853.tif 000003
【図２】
2007034853.tif 000004
【図３】
2007034853.tif 000005
【図４】
2007034853.tif 000006
【図５】
2007034853.tif 000007
【図６】
2007034853.tif 000008
【図７】
2007034853.tif 000009